(57)【特許請求の範囲】
【請求項１】
パネル体と、横枠材とを備え、横枠材が、パネル体の上下に取り付けてあって、パネル体の内側面より内側に突出する載置部を有しており、載置部の上面が水平面となっていることを特徴とする壁面体。
【請求項２】
格子体と、横枠材とを備え、格子体が、複数本の格子材からなるものであり、横枠材が、格子体の上下に取り付けてあって、格子体の内側面より内側に突出する載置部を有しており、載置部の上面が水平面となっていることを特徴とする壁面体。
【請求項３】
パネル体と、格子体と、横枠材とを備え、格子体が、複数本の格子材からなるものであり、パネル体と格子体が、横枠材を挟んで上下に連設してあり、横枠材が、パネル体の内側面及び格子体の内側面より内側に突出する載置部を有しており、載置部の上面が水平面となっていることを特徴とする壁面体。
【請求項４】
格子材が、見込方向に離間させて互い違いに配置してあることを特徴とする請求項２又は３記載の壁面体。
【請求項５】
載置部の上面又は下面の少なくとも一方に、光源を埋め込んであることを特徴とする請求項１、２、３又は４記載の壁面体。
【発明の詳細な説明】
【技術分野】
【０００１】
本発明は、住宅の敷地境界などに設置されるフェンスなどの壁面体に関する。
【背景技術】
【０００２】
住宅の敷地境界などに設置される壁面体として、たとえば特許文献１に示すように、矩形のパネル体の四周を枠材で囲み、これを支柱により立設したものがある。このような壁面体は、外部からの視線を遮断し、かつ外部からの侵入者を防ぐためのものであり、特にそれ以上の機能を有するものではない。一方で、壁面体に植木鉢などを飾りたいという要望があり、そのためにたとえば特許文献２に示すようなハンガーがある。これは、壁面体の上端部に引っ掛けて使用するものであり、特許文献１の壁面体に、特許文献２のハンガーを引っ掛けて植木鉢を飾ることもできる。
【先行技術文献】
【特許文献】
【０００３】
【特許文献１】特開２００４−５２３１２号公報
【特許文献２】実用新案登録第３０６６４５２号公報
【発明の概要】
【発明が解決しようとする課題】
【０００４】
しかしながら、従来の壁面体は、上記のようなハンガーを用いなければ植木鉢などを飾ることができなかった点が問題であり、また上記ハンガーを用いる場合、飾りたい物の数だけハンガーが必要となる点が問題である。
【０００５】
本発明は、上記事情を鑑みたものであり、種々の物品を載置して棚のように使用できる壁面体を提供することを目的とする。
【課題を解決するための手段】
【０００６】
本発明のうち請求項１の発明は、パネル体と、横枠材とを備え、横枠材が、パネル体の上下に取り付けてあって、パネル体の内側面より内側に突出する載置部を有しており、載置部の上面が水平面となっていることを特徴とする。
【０００７】
本発明のうち請求項２の発明は、格子体と、横枠材とを備え、格子体が、複数本の格子材からなるものであり、横枠材が、格子体の上下に取り付けてあって、格子体の内側面より内側に突出する載置部を有しており、載置部の上面が水平面となっていることを特徴とする。
【０００８】
本発明のうち請求項３の発明は、パネル体と、格子体と、横枠材とを備え、格子体が、複数本の格子材からなるものであり、パネル体と格子体が、横枠材を挟んで上下に連設してあり、横枠材が、パネル体の内側面及び格子体の内側面より内側に突出する載置部を有しており、載置部の上面が水平面となっていることを特徴とする。
【０００９】
本発明のうち請求項４の発明は、格子材が、見込方向に離間させて互い違いに配置してあることを特徴とする。
【００１０】
本発明のうち請求項５の発明は、載置部の上面又は下面の少なくとも一方に、光源を埋め込んであることを特徴とする。
【発明の効果】
【００１１】
本発明のうち請求項１、２及び３の発明によれば、載置部を設けることにより、従来視線遮断及び侵入者防止の機能しかなかった壁面体を、棚として使用することができる。載置部は、壁面体の横幅長さ分だけ利用することができ、何を置いてもよく、たとえば植木鉢やプランターを置いたり、ガーデニングの道具を置いたり、その他の装飾品を置いたりするなど、自由に使用できる。また、特に請求項２及び３の発明によれば、格子体を用いているので、外部からの視線をある程度遮断しつつ、適度に採風することができる。そして格子体の下側の横枠材の載置部上は良好な通風性が確保されるので、植木鉢などを載せた場合に、植物を十分に育成させることができる。
【００１２】
本発明のうち請求項４の発明によれば、互い違いに配置した格子材によって、外部からの視線を確実に遮断しつつ、適度に採風することができる。
【００１３】
本発明のうち請求項５の発明によれば、載置部の上面に光源を埋め込んだ場合は、当該載置部に載せた物を下側から照らし、載置部の下面に光源を埋め込んだ場合は、当該載置部の下段の載置部に載せた物を上側から照らすことができる。また、載置部に何も載せていない場合に、間接照明として使用することもできる。
【図面の簡単な説明】
【００１４】
【図１】壁面体の第一実施形態の横枠材部分の拡大断面図である。
【図２】第一実施形態を示し、（ａ）は正面図、（ｂ）はＡ１−Ａ１線断面図、（ｃ）はＢ１−Ｂ１線断面図である。
【図３】第二実施形態の横枠材部分の拡大断面図である。
【図４】第二実施形態を示し、（ａ）は正面図、（ｂ）はＡ２−Ａ２線断面図、（ｃ）はＢ２−Ｂ２線断面図である。
【図５】第三実施形態の横枠材部分の拡大断面図である。
【図６】第三実施形態を示し、（ａ）は正面図、（ｂ）はＡ３−Ａ３線断面図、（ｃ）はＢ３−Ｂ３線断面図である。
【図７】第四実施形態を示し、（ａ）は正面図、（ｂ）はＡ４−Ａ４線断面図、（ｃ）はＢ４−Ｂ４線断面図である。
【図８】第五実施形態を示し、（ａ）は正面図、（ｂ）はＡ５−Ａ５線断面図、（ｃ）はＢ５−Ｂ５線断面図である。
【図９】第六実施形態を示し、（ａ）は正面図、（ｂ）はＡ６−Ａ６線断面図、（ｃ）はＢ６−Ｂ６線断面図である。
【図１０】第七実施形態を示し、（ａ）は正面図、（ｂ）はＡ７−Ａ７線断面図、（ｃ）はＢ７−Ｂ７線断面図である。
【図１１】第八実施形態を示し、（ａ）は正面図、（ｂ）はＡ８−Ａ８線断面図、（ｃ）はＢ８−Ｂ８線断面図である。
【図１２】第九実施形態を示し、（ａ）は正面図、（ｂ）はＡ９−Ａ９線断面図、（ｃ）はＢ９−Ｂ９線断面図である。
【図１３】第十実施形態を示し、（ａ）は正面図、（ｂ）はＡ１０−Ａ１０線断面図、（ｃ）はＢ１０−Ｂ１０線断面図である。
【発明を実施するための形態】
【００１５】
以下、本発明の実施の形態を図面に基づいて説明する。この壁面体の第一実施形態は、図１及び図２に示すように、横長矩形の五つの格子体４を上下に連設したものであり、各格子体４同士の間には横枠材２が挟んであり、さらに最上位の格子体４の上端及び最下位の格子体４の下端にも横枠材２が取り付けてある。そして、格子体４の幅方向両端には縦枠材６が取り付けてあり、縦枠材６は設置面に立設してある。
【００１６】
格子体４は、水平方向に延びる複数本の格子材４１からなり、格子材４１は、断面略正方形で、見込方向に離間させて互い違いに配置してある。すなわち、本実施形態においては上下に並ぶ格子材４１が内外二列配置してあり、内側列の格子材４１ａと外側列の格子材４１ｂとで高さ位置が異なっている。ここで、上下に並ぶ格子材４１同士の間隔及び内側列の格子材４１ａと外側列の格子材４１ｂとの間隔は、格子材４１の断面の一辺の長さよりも短い。そして、外側列の格子材４１ｂは、横枠材２の外側端部に位置している。
【００１７】
横枠材２は、中空型材からなり、格子体４の内側列の格子材４１ａより内側の部分が内側方向に突出して載置部３を構成している。載置部３の上面は水平面３１となっており、植木鉢Ｐなどを置くための棚として使用できる。なお、横枠材２の上面及び下面の外側端部、すなわち外側列の格子材４１ｂの位置には、断面略コ字形の凹溝２１を形成してあるが、これは格子体４の替わりに平板形状のパネル体を嵌め込めるようにして、そのような壁面体と部材を共用できるようにしたものである。さらに、凹溝２１より外側、すなわち格子体４の外側列の格子材４１ｂより外側の部分が、外側方向に突出している。この突出部分は、上側面２２が外側下方に約４５度傾斜しており、下側面２３が外側上方に約４５度傾斜している。このような形状にすることで、壁面体を外側から見たときに、横枠材２がアクセントになった優れた意匠になるとともに、外側から横枠材２に手足を掛けることが困難で、侵入者を防止する機能にも優れる。
【００１８】
このように構成した壁面体の第一実施形態は、格子体を構成する格子材が互い違いに配置してあることによって、外部からの視線を確実に遮断しつつ、適度に採風することができる。そして、載置部を設けることにより、従来視線遮断及び侵入者防止の機能しかなかった壁面体を、棚として使用することができる。載置部は、壁面体の横幅長さ分だけ利用することができ、何を置いてもよく、たとえば植木鉢やプランターを置いたり、ガーデニングの道具を置いたり、その他の装飾品を置いたりするなど、自由に使用できる。さらに、載置部上は良好な通風性が確保されており、植木鉢などを載せた場合に、植物を十分に育成させることができる。
【００１９】
次に、図３及び図４に基づいて、第二実施形態について説明する。第二実施形態は、第一実施形態とは異なり、格子体の替わりに平板形状のパネル体１を用いており、横枠材２の外側端部に形成した凹溝２１に断面略Ｕ字形のグレージングチャンネル２４が嵌め込んであり、グレージングチャンネル２４がパネル体１を挟み込んで保持している。そして、横枠材２は中空型材からなり、載置部３の上面及び下面には長手方向にわたって取付孔３２を形成してある。この上下の取付孔３２にそれぞれ光源５が埋め込んであり、光源５は、基板５１と、基板５１上に設けたＬＥＤ５２と、基板５１を支持する略コ字形状の受皿５３と、受皿５３の開口部を覆う透明窓５４からなる。上側の光源５の透明窓５４の上面と、載置部３の水平面３１とは面一であり、光源５の上に物品を載置することができる。なお、配線は図示省略してあるが、中空の横枠材２の内部を通して同じく図示省略した電源に接続してある。さらに、凹溝２１より外側、すなわちパネル体１より外側の部分が、外側方向に突出している。この突出部分は、上側面２２が外側下方に約４５度傾斜しており、下側面２３が外側上方に約４５度傾斜している。
【００２０】
このように構成した壁面体の第二実施形態は、載置部の上面に埋め込んだ光源により当該載置部に載せた物を下側から照らし、載置部の下面に埋め込んだ光源により当該載置部の下段の載置部に載せた物を上側から照らすことができる。また、載置部に何も載せていない場合に、間接照明として使用することもできる。
【００２１】
次に、図５及び図６に基づいて、第三実施形態について説明する。第三実施形態は、格子体４を用いており、格子体４及び横枠材２の構成は第一実施形態と同様である。すなわち、格子体４は、水平方向に延びる複数本の格子材４１からなり、格子材４１は、断面略正方形で、見込方向に離間させて互い違いに配置してある。また横枠材２は、中空型材からなり、格子体４の内側列の格子材４１ａより内側の部分が内側方向に突出して載置部３を構成している。載置部３の上面は水平面３１となっており、植木鉢などを置くための棚として使用できる。さらに、格子体４の外側列の格子材４１ｂより外側の部分が、外側方向に突出しており、この突出部分は、上側面２２が外側下方に約４５度傾斜しており、下側面２３が外側上方に約４５度傾斜している。そして、横枠材２の載置部３の上面及び下面には長手方向にわたって取付孔３２を形成してあって、この上下の取付孔３２にそれぞれ第二実施形態と同様の光源５を埋め込んである。
【００２２】
このように構成した壁面体の第三実施形態は、格子体により外部からの視線を確実に遮断しつつ、適度に採風することができる。また、載置部を設けることにより、従来視線遮断及び侵入者防止の機能しかなかった壁面体を、棚として使用することができる。さらに、載置部上は良好な通風性が確保されており、植木鉢などを載せた場合に、植物を十分に育成させることができる。そして、載置部に設けた光源により、載置部に載せたものを照らしたり、載置部に何も載せていない場合に間接照明として使用したりすることもできる。
【００２３】
さらに、格子体の構成については、種々のものが考えられる。以下に示す第四実施形態〜第十実施形態は、何れも二枚の格子体を上下に連設してあって（第六実施形態を除く）、格子体同士の間には横枠材が挟んであり、さらに上側の格子体の上端及び下側の格子体の下端にも横枠材が取り付けてある。横枠材は、格子体の内側面より内側の部分が内側方向に突出して載置部を構成しており、横枠材の見込方向長さは格子体の厚さによって異なる。そして、格子体の幅方向両端には縦枠材が取り付けてあり、縦枠材は設置面に立設してある。
【００２４】
図７に示す第四実施形態及び図８に示す第五実施形態は、何れも格子体４が平板形状の格子材４１からなるものであり、第四実施形態では格子材４１が垂直方向に延び、第五実施形態では格子材４１が水平方向に延びている。そして、何れにおいても格子材４１は見込方向に離間させて互い違いに配置してある。このように構成した場合でも、外部からの視線を確実に遮断しつつ、適度に採風することができる。
【００２５】
図９に示す第六実施形態は、上下端及び中央に横枠材２を備え、上端と中央の横枠材２の間に格子体４を備える。本実施形態の格子体４は、複数枚の平板形状の格子材４１を外側下方に向けて傾斜して取り付けたルーバー形状のものである。一方、下端と中央の横枠材２の間には格子体４が存在せず、開放状態となっている。このようにルーバー形状の格子体４にした場合も、外部からの視線を遮断しつつ、適度に採風することができる。また、壁面体の下半部が開放されているので、侵入者防止の機能は低いものの、壁面体に囲まれた空間でも開放感を感じられる。なお、格子材４１を可動式にして開閉自在にしてもよい。
【００２６】
図１０に示す第七実施形態及び図１１に示す第八実施形態は、何れも格子体４が断面略正方形の格子材４１からなるものであり、第七実施形態では格子材４１が垂直方向に延び、第八実施形態では格子材４１が水平方向に延びている。そして、何れにおいても格子材４１は横枠材２の外側端部に一列に並んでいる。このように構成した場合でも、外部からの視線をある程度遮断しつつ、適度に採風することができる。
【００２７】
図１２に示す第九実施形態及び図１３に示す第十実施形態は、何れも格子体４が平板形状の格子材４１からなるものであり、第九実施形態では格子材４１が垂直方向に延び、第十実施形態では格子材４１が水平方向に延びている。そして、何れにおいても格子材４１は横枠材２の外側端部に一列に並んでいる。このように構成した場合でも、外部からの視線をある程度遮断しつつ、適度に採風することができる。
【００２８】
本発明は、上記の実施形態に限定されない。たとえば、一つの壁面体がパネル体と格子体の両方を備え、それらが横枠材を挟んで上下に連設してあってもよい。この際、パネル体と格子体のどちらが上であってもよい。また、横枠材は、中空型材ではなく中実部材からなるものであってもよいし、載置部はその上面に物品を載置できるものであればよく、たとえば一枚板形状などでもよい。さらに、一部の横枠材のみが載置部を有していてもよいし、横枠材の長手方向の一部にのみ載置部を形成してあってもよい。また、光源は載置部の上面又は下面の何れか一方のみに設けてあってもよいし、また一部の横枠材のみに設けてあってもよい。さらに、光源は横枠材の長手方向の一部分のみに設けてあってもよい。
【符号の説明】
【００２９】
１  パネル体
２  横枠材
３  載置部
４  格子体
５  光源
３１  水平面
４１  格子材
【図１】
0005667430.tif 000002
【図２】
0005667430.tif 000003
【図３】
0005667430.tif 000004
【図４】
0005667430.tif 000005
【図５】
0005667430.tif 000006
【図６】
0005667430.tif 000007
【図７】
0005667430.tif 000008
【図８】
0005667430.tif 000009
【図９】
0005667430.tif 000010
【図１０】
0005667430.tif 000011
【図１１】
0005667430.tif 000012
【図１２】
0005667430.tif 000013
【図１３】
0005667430.tif 000014